(57)【特許請求の範囲】
【請求項１】
地中に埋設されている排水取付管(1)を補修する補修方法であって、
高圧流体を内部空間に供給可能な反転機(10)を設置すること、
前記反転機(10)を用いて、筒状の第１フィルム部材(41)を反転させながら送り出すことにより、前記第１フィルム部材(41)を前記排水取付管(1)の全体に挿通させること、
合成樹脂が含浸した筒状の基布部(46)と、前記基布部(46)の外側に配される筒状の第２フィルム部材(47)とにより形成される補修部材(45)を準備すること、
前記補修部材(45)の少なくとも一部を筒状の反転ゴム部材(48)内に挿入するとともに、前記補修部材(45)の一端部と前記反転ゴム部材(48)の一端部とを接続すること、
前記反転機(10)を用いて、前記補修部材(45)及び前記反転ゴム部材(48)を反転させながら送り出すことにより、前記補修部材(45)及び前記反転ゴム部材(48)を、前記排水取付管(1)内に挿通させた前記第１フィルム部材(41)の内側に挿入すること、
前記補修部材(45)及び前記反転ゴム部材(48)を、前記第１フィルム部材(41)内に進入させて前記排水取付管(1)の全体に挿通させるとともに、前記補修部材(45)を前記排水取付管(1)の内周面に向けて圧接させること、
前記補修部材(45)を圧接させた状態で、前記基布部(46)に含浸させた前記合成樹脂を硬化させること、及び、
前記合成樹脂の硬化後、前記反転ゴム部材(48)及び前記第２フィルム部材(47)を前記排水取付管(1)から引き抜くこと
を含むことを特徴とする排水取付管の補修方法。
【請求項２】
前記補修部材(45)及び前記反転ゴム部材(48)を反転させながら送り出すときに、前記補修部材(45)と前記反転ゴム部材(48)との間に高圧流体を閉じ込めることを含む請求項１記載の排水取付管の補修方法。
【請求項３】
前記補修部材(45)の準備において、
前記基布部(46)を前記第２フィルム部材(47)内に収容すること、
前記基布部(46)が収容された前記第２フィルム部材(47)内に前記合成樹脂を注入すること、
前記合成樹脂が注入された前記第２フィルム部材(47)を、支持台(61)の平坦な支持面に載置するとともに、前記第２フィルム部材(47)の上に平板部材(62)を重ねること、
前記平板部材(62)上に押圧ローラー(63)をセットし、前記支持面と前記押圧ローラー(63)とによって前記第２フィルム部材(47)及び前記平板部材(62)を挟持するとともに、前記第２フィルム部材(47)及び前記平板部材(62)に押圧力を加えること、及び、
前記第２フィルム部材(47)及び前記平板部材(62)に前記押圧力を加えた状態で、前記押圧ローラー(63)を前記第２フィルム部材(47)の長さ方向の一端部から他端部まで移動させることによって、前記基布部(46)に前記合成樹脂を含浸させること
を含む請求項１又は２記載の排水取付管の補修方法。
【請求項４】
前記支持面及び前記平板部材(62)を、前記第２フィルム部材(47)の長さ方向の一端部から他端部に向けて下り傾斜するように傾斜させることを含む請求項３記載の排水取付管の補修方法。
【請求項５】
筒状の基布部(46)が筒状のフィルム部材内に収容された補修部材(45)の前記基布部(46)に合成樹脂を含浸させる含浸装置(60)であって、
平坦な支持面を備える支持台(61)と、前記支持面に平行に重ねることが可能な平板部材(62)と、前記支持面に重ねた前記平板部材(62)上にセットされる押圧ローラー(63)と、前記支持面に対する前記押圧ローラー(63)の高さ位置を調整可能な調整部と、高さ位置が調整された前記押圧ローラー(63)を前記平板部材(62)上で移動可能な移動部とを有することを特徴とする含浸装置。
【請求項６】
前記支持台(61)は、前記支持面及び前記平板部材(62)を所定の方向に傾斜させることが可能なチルト機構(65)を備える請求項５記載の含浸装置。
【発明の詳細な説明】
【技術分野】
【０００１】
本発明は、排水取付管の補修方法と、その補修方法で用いられる含浸装置とに関する。
【背景技術】
【０００２】
各家庭内には汚水桝が設置されており、汚水桝と道路下面の下水道本管とは、地中に埋設された排水取付管により連通されている。排水取付管は、経年変化による老朽化、外的荷重、或いは地震等によって破損、及び継目のずれや開離等が生じることがあり、このような排水取付管における破損等に伴い、排水取付管への地下水や土砂の流入、又は排水取付管を流れる汚水の地中への流出等が生じる。このため、破損等が生じた排水取付管の補修・改築が必要となる。
【０００３】
排水取付管の補修・改築を行う方法の１つとして、排水取付管を掘り起こすことなく非開削で排水取付管の補修を行うことが知られている。このような非開削で排水取付管の補修を行う補修方法の一例が、特開２００１−３０３５７号公報（特許文献１）に記載されている。
【０００４】
特許文献１に記載されている補修方法について、図１５を参照しながら簡単に説明する。
特許文献１の補修方法では、先ず、補修部材８１と反転ゴム部材８２とを準備する。特許文献１で準備される補修部材８１は、筒状の基布部と、基布部の内周側に配される内側シート（内側フィルム）と、基布部の外周側に配される外側シート（外側フィルム）とを備えた３層構造の筒状体である。基布部は、編織物又は不織布等の布材に合成樹脂を含浸させて形成されている。この補修部材８１の一端部と反転ゴム部材８２の一端部とは、接続紐８３によって連結されている。
【０００５】
補修部材８１等の準備を行うとともに、反転機９１を現場に設置する。また、補修部材８１及び反転ゴム部材８２を反転ガイド９２に装着し、その反転ガイド９２の基端部を反転機９１に接続する。更に、反転ガイド９２の先端部を、補修を行う排水取付管１００の入口部に近接する位置に配置する。
【０００６】
次に、反転ガイド９２内の補修部材８１と反転ゴム部材８２との間に高圧空気ａを供給して封入する。また、反転機９１内に高圧空気Ａを供給するとともに、反転機９１の巻芯に巻き付けられている反転ロープ８４を徐々に繰り出す。これにより、反転ゴム部材８２と補修部材８１とを反転させながら、図１５に示したように排水取付管１００に挿入し、更に、排水取付管１００内に進入させることによって、補修部材８１を排水取付管１００の全体に挿通させる。
【０００７】
このとき、補修部材８１と反転ゴム部材８２との間に高圧空気ａが封入された状態を維持しながら、補修部材８１の先導部分が排水取付管１００内を奥に向けて進んで行く。このため、例えば排水取付管１００に湾曲した部分又は屈曲した部分が設けられている場合でも、補修部材８１は、高圧空気ａ及び高圧空気Ａの圧力によって排水取付管１００の湾曲部分又は屈曲部分を通り抜けることができる。それによって、湾曲部分又は屈曲部分を有する排水取付管１００の全体に、補修部材８１を容易に挿通させることができる。
【０００８】
補修部材８１を排水取付管１００の全体に挿通させた後、反転ガイド９２に設けられているバルブ部９３において、高圧空気Ａにおける反転機９１側の流路と排水取付管１００側の流路とを遮断する。更に、排水取付管１００側の流路における反転ゴム部材８２内を所定の加圧状態に維持する。これにより、反転ゴム部材８２で補修部材８１を排水取付管１００の内周面に向けて圧接させた状態で、補修部材８１の基布部に含浸させた合成樹脂を硬化させることができる。
【０００９】
合成樹脂の硬化後、排水取付管１００から反転ゴム部材８２と、反転させた補修部材８１の外側シートとを引き出して回収することにより、排水取付管１００の補修作業が完了する。これにより、破損等が生じている排水取付管１００の内周面の全体に、硬化した補修部材８１が連続して設けられるため、排水取付管１００内への地下水や土砂の流入、及び、排水取付管１００を流れる汚水の地中への流出を防止できる。
【００１０】
このような特許文献１の補修方法によれば、直線的に埋設された排水取付管の補修だけでなく、湾曲部分又は屈曲部分を有する排水取付管の補修を行うことができる。また、補修部材８１が反転ゴム部材８２で加圧された状態で、補修部材８１の基布部に含浸させた合成樹脂が硬化するため、硬化した基布部の内周面を、流水障害を生じさせ難い滑らかな面に形成できる。
【先行技術文献】
【特許文献】
【００１１】
【特許文献１】特開２００１−３０３５７号公報
【発明の概要】
【発明が解決しようとする課題】
【００１２】
特許文献１の補修方法では、排水取付管１００内に反転させて進入させる補修部材８１が、前述したように、内側シート、合成樹脂を含浸させる基布部、及び外側シートの３層構造の筒状体により形成されている。このような補修部材８１の基布部に合成樹脂を含浸させる場合には、筒状の内側シートと筒状の外側シートの間の基布部が配されている狭いリング状の空間部分に合成樹脂を注入し、更に、その合成樹脂が注入された補修部材８１を例えば２つのローラー間に通すことによって、合成樹脂を基布部に浸み込ませる作業が行われる。
【００１３】
しかし、合成樹脂を狭い空間部分に注入し、その狭い空間部分内に合成樹脂を行き渡らせるようにして基布部に含浸させるため、含浸させた合成樹脂に空気が入り易くなることや、含浸斑が生じ易くなることなどの欠点があった。このように合成樹脂に空気が入ったり、含浸斑が生じたりすると、排水取付管内で硬化させた補修部材の強度を低下させることや、基布部の内周面の平滑性を低下させることがある。このため、従来では、合成樹脂に空気が入ることや斑が生じることを防ぐために、合成樹脂を注入した補修部材を人手で揉むことや、２つのローラー間に複数回通すこと等の作業を行うことによって合成樹脂を基布部に均一に含浸させている。しかし、このような作業には、多くの時間と労力が必要とされていた。
【００１４】
また、補修部材を２つのローラー間に通す際には、ローラーを回転させながら補修部材をローラーの下流側から引っ張ることがある。このとき、補修部材が部分的に延びて薄くなる可能性があり、その結果、合成樹脂を硬化させた後の基布部の強度に影響を与えることが考えられる。
【００１５】
更に、特許文献１の補修方法の場合、反転機９１を地上に設置できるものの、反転機９１に接続する反転ガイド９２の先端部を、前述したように、排水取付管１００の入口部に近接する位置に配置することが必要とされる。従って、排水取付管１００の埋設位置や埋設状態によっては、反転ガイド９２の設置に時間を要することがあった。
【００１６】
本発明は上記従来の課題に鑑みてなされたものであって、その目的は、補修部材の準備において合成樹脂を含浸させるときに空気の入り込みや含浸斑などを生じさせ難くすることが可能であり、また、排水取付管の補修を従来よりも簡便に、また安定した品質で行うことが可能な排水取付管の補修方法と、その補修方法で用いられる含浸装置とを提供することにある。
【課題を解決するための手段】
【００１７】
上記目的を達成するために、本発明により提供される排水取付管の補修方法は、地中に埋設されている排水取付管を補修する補修方法であって、高圧流体を内部空間に供給可能な反転機を設置すること、前記反転機を用いて、筒状の第１フィルム部材を反転させながら送り出すことにより、前記第１フィルム部材を前記排水取付管の全体に挿通させること、合成樹脂が含浸した筒状の基布部と、前記基布部の外側に配される筒状の第２フィルム部材とにより形成される補修部材を準備すること、前記補修部材の少なくとも一部を筒状の反転ゴム部材内に挿入するとともに、前記補修部材の一端部と前記反転ゴム部材の一端部とを接続すること、前記反転機を用いて、前記補修部材及び前記反転ゴム部材を反転させながら送り出すことにより、前記補修部材及び前記反転ゴム部材を、前記排水取付管内に挿通させた前記第１フィルム部材の内側に挿入すること、前記補修部材及び前記反転ゴム部材を、前記第１フィルム部材内に進入させて前記排水取付管の全体に挿通させるとともに、前記補修部材を前記排水取付管の内周面に向けて圧接させること、前記補修部材を圧接させた状態で、前記基布部に含浸させた前記合成樹脂を硬化させること、及び、前記合成樹脂の硬化後、前記反転ゴム部材及び前記第２フィルム部材を前記排水取付管から引き抜くことを含むことを主要な特徴とするものである。
【００１８】
本発明に係る排水取付管の補修方法は、前記補修部材及び前記反転ゴム部材を反転させながら送り出すときに、前記補修部材と前記反転ゴム部材との間に高圧流体を閉じ込めることを含むことが好ましい。
【００１９】
また本発明の補修方法は、前記補修部材の準備において、前記基布部を前記第２フィルム部材内に収容すること、前記基布部が収容された前記第２フィルム部材内に前記合成樹脂を注入すること、前記合成樹脂が注入された前記第２フィルム部材を、支持台の平坦な支持面に載置するとともに、前記第２フィルム部材の上に平板部材を重ねること、前記平板部材上に押圧ローラーをセットし、前記支持面と前記押圧ローラーとによって前記第２フィルム部材及び前記平板部材を挟持するとともに、前記第２フィルム部材及び前記平板部材に押圧力を加えること、及び、前記第２フィルム部材及び前記平板部材に前記押圧力を加えた状態で、前記押圧ローラーを前記第２フィルム部材の長さ方向の一端部から他端部まで移動させることによって、前記基布部に前記合成樹脂を含浸させることを含むことが好ましい。
【００２０】
この場合、本発明の補修方法は、前記支持面及び前記平板部材を、前記第２フィルム部材の長さ方向の一端部から他端部に向けて下り傾斜するように傾斜させることを含むことが好ましい。
【００２１】
次に、本発明により提供される含浸装置は、筒状の基布部が筒状のフィルム部材内に収容された補修部材の前記基布部に合成樹脂を含浸させる含浸装置であって、平坦な支持面を備える支持台と、前記支持面に平行に重ねることが可能な平板部材と、前記支持面に重ねた前記平板部材上にセットされる押圧ローラーと、前記支持面に対する前記押圧ローラーの高さ位置を調整可能な調整部と、高さ位置が調整された前記押圧ローラーを前記平板部材上で移動可能な移動部とを有することを主要な特徴とするものである。
【００２２】
本発明の含浸装置において、前記支持台は、前記支持面及び前記平板部材を所定の方向に傾斜させることが可能なチルト機構を備えることが好ましい。
【発明の効果】
【００２３】
本発明に係る排水取付管の補修方法では、高圧流体を内部空間に供給可能な反転機を設置し、例えばその反転機の一部に筒状の第１フィルム部材の端部が固定された状態で、反転機の高圧流体を利用して第１フィルム部材を反転させながら送り出すことにより、第１フィルム部材を、補修を行う排水取付管内に挿入する。更に、第１フィルム部材の送り出しを続けることにより、第１フィルム部材を排水取付管の全体に挿通させる。
【００２４】
また、上述のような第１フィルム部材の挿通作業を行うとともに、合成樹脂が含浸した筒状の基布部と、基布部の外側に配される筒状の第２フィルム部材とを備える補修部材を準備する。このとき、本発明の補修部材は、特許文献１の補修部材とは異なり、筒状の基布部と筒状の第２フィルム部材の２層構造の筒状体により形成されている。このため、基布部に合成樹脂を含浸させる場合、外側シートとなる第２フィルム部材の大きな内部空間部分に合成樹脂を注入して基布部に含浸できる。それにより、合成樹脂を基布部に浸み込ませる作業を、例えば特許文献１の場合に比べて容易に且つ短時間で行うことができる。また、例えば特許文献１の場合に比べて、合成樹脂に空気の入り込みや斑などを生じさせ難くすることが可能となる。
【００２５】
続いて、準備した補修部材の少なくとも一部を筒状の反転ゴム部材内に挿入するとともに、補修部材の一端部と反転ゴム部材の一端部とを接続する。そして、反転機及び反転機に接続される部分（例えば反転ガイド）の少なくとも一方に、互いに接続された補修部材及び反転ゴム部材を収容するとともに、補修部材の他端部と反転ゴム部材の他端部とを所定の位置（例えば、反転機に接続された反転ガイドの所定の位置）に固定する。続いて、補修部材の他端部と反転ゴム部材の他端部とが固定された状態で、反転機に供給される高圧流体を利用して補修部材及び反転ゴム部材を反転させながら送り出すことにより、補修部材及び反転ゴム部材を、排水取付管内に挿通させた第１フィルム部材の内側に挿入する。
【００２６】
更に続けて、反転機に供給される高圧流体を利用することにより、補修部材と反転ゴム部材とを、第１フィルム部材内に進入させ、排水取付管の全体に亘って第１フィルム部材内に挿通させる。また、補修部材及び反転ゴム部材を挿通させるとともに、反転ゴム部材内の高圧流体の圧力によって、補修部材を排水取付管の内周面に向けて圧接させる。そして、補修部材を排水取付管に圧接させた状態で、基布部に含浸させた合成樹脂を硬化させる。これにより、排水取付管の内周面の全体に、硬化した基布部を備えた補修部材（補修管）が連続して形成される。
基布部の合成樹脂が硬化した後、反転ゴム部材及び第２フィルム部材を排水取付管から引き抜く。これにより、排水取付管の補修作業が終了する。
【００２７】
上述のような本発明の補修方法で排水取付管の補修を行うことによって、基布部に合成樹脂を含浸させるときに合成樹脂に空気の入り込みや斑などが発生することを抑制し、合成樹脂の含浸作業を上述したように容易に且つ短時間で行うことができる。これにより、合成樹脂の含浸作業の効率化及び合理化を図ることができる。
【００２８】
また本発明では、補修部材及び反転ゴム部材を排水取付管内に導入する前に、筒状の第１フィルム部材を排水取付管に挿通させるため、その排水取付管に対して補修作業を行えるか否かの確認を事前に行うことができる。例えば補修作業が可能な排水取付管であれば、その後の作業を円滑に安定して行うことができる。また、補修作業が不能な排水取付管であれば、その他の補修作業で対応することを早い段階で判断することができるため、補修作業の効率化を図ることができる。
【００２９】
更に、筒状の第１フィルム部材を排水取付管に事前に挿通させているため、その第１フィルム部材内に補修部材及び反転ゴム部材を進入させることによって、例えば特許文献１の場合のように反転機に接続する反転ガイドの先端部を排水取付管の入口部に近接する位置に配置する必要がなくなり、作業負担を軽減できる。
【００３０】
以上のように、本発明では、補修部材及び反転ゴム部材の反転作業を行う前の準備作業（基布部への合成樹脂の含浸作業や、反転機及び反転ガイドの設置作業等）をより簡便に行うことが可能となり、その結果、排水取付管の補修を安定した品質で、また、従来よりも簡便に行うことができる。
【００３１】
上述のような本発明の補修方法では、補修部材及び反転ゴム部材を反転させながら送り出すときに、補修部材と反転ゴム部材との間に高圧流体を封入する。これによって、排水取付管が湾曲した部分や屈曲した部分を有する場合でも、排水取付管の全体に亘って補修を行うことが可能となる。
【００３２】
また、本発明の補修方法では、補修部材の準備において、先ず、基布部を第２フィルム部材内に収容し、その第２フィルム部材内に合成樹脂を注入する。続いて、合成樹脂が注入された第２フィルム部材を、支持台の平坦な支持面に載置するとともに第２フィルム部材の上に平板部材を重ね、その後、平板部材上に押圧ローラーをセットすることによって、支持面と押圧ローラーとによって第２フィルム部材及び平板部材を挟持するとともに、第２フィルム部材及び平板部材に押圧力を加える。更に、第２フィルム部材及び平板部材に押圧力を加えた状態で、押圧ローラーを第２フィルム部材の長さ方向の一端部から他端部まで移動させることによって、基布部に合成樹脂を含浸させる。このように基布部への合成樹脂の含浸作業を行うことによって、空気の入り込みや斑などが発生することをより効果的に抑制して合成樹脂を基布部に均一に含浸させることができる。またこの場合、従来のような２つのローラーを回転させながら補修部材をローラーの下流側から引っ張るような作業は行われないため、補修部材が部分的に延びて薄くなるといった不具合が生じることを防止でき、合成樹脂を硬化させた後の基布部が、所要の強度を安定して有することができる。
【００３３】
またこの場合、本発明の補修方法では、支持面及び平板部材を、第２フィルム部材の長さ方向の一端部から他端部に向けて下り傾斜するように傾斜させることができる。これにより、基布に対して合成樹脂を効率的に含浸させることができ、また、合成樹脂の空気の入り込みや斑などの発生を更に効果的に抑制できる。
【００３４】
次に、本発明により提供される含浸装置は、筒状の基布部が筒状のフィルム部材内に収容された補修部材の基布部に合成樹脂を含浸させる含浸装置であって、平坦な支持面を備える支持台と、支持面に平行に重ねることが可能な平板部材と、支持面に重ねた平板部材上にセットされる押圧ローラーと、支持面に対する押圧ローラーの高さ位置を調整可能な調整部と、高さ位置が調整された押圧ローラーを平板部材上で移動可能な移動部とを有する。
【００３５】
このような構造を有する補修部材の含浸装置であれば、空気の入り込みや斑などが発生することを効果的に抑制して合成樹脂を基布部に均一に含浸させることができる。また、従来のような２つのローラーを回転させながら補修部材をローラーの下流側から引っ張るような作業が行われないため、補修部材が部分的に延びて薄くなるといった不具合が生じることを防止できる。
【００３６】
また、本発明の含浸装置において、支持台は、支持面及び平板部材を所定の方向に傾斜させることが可能なチルト機構を備える。これにより、基布に対して合成樹脂を効率的に含浸させることができ、また、合成樹脂の空気の入り込みや斑などの発生を更に効果的に抑制できる。
【図面の簡単な説明】
【００３７】
【図１】本発明の実施形態に係る補修方法において、第１フィルム部材を排水取付管に進入させて挿通させる作業を模式的に説明する模式図である。
【図２】実施形態の補修方法において、補修部材を第１フィルム部材内に挿入して排水取付管に挿通させる作業を模式的に説明する模式図である。
【図３】実施形態の補修方法において、補修部材を排水取付管に挿通させた後に、基布部に含浸させた合成樹脂を硬化させる作業を模式的に説明する模式図である。
【図４】第１フィルム部材が装着された反転機の内部の構造を模式的に簡単に示す模式図である。
【図５】補修部材及び反転ゴム部材が装着された反転機及び反転ガイドの内部の構造を簡単に示す模式図である。
【図６】反転ガイドの一部の構造を簡単に示す模式図である。
【図７】反転ガイドに設けたガイド部の構造を簡単に示す模式図である。
【図８】補修部材の長さ方向に対して平行な方向における補修部材の断面を模式的に示す断面図である。
【図９】補修部材の長さ方向に対して直交する方向における補修部材の断面を模式的に示す断面図である。
【図１０】実施形態で用いる含浸装置を模式的に示す模式図である。
【図１１】図１０に示した含浸装置において第２フィルム部材に押圧力を加えた状態を模式的に示す断面図である。
【図１２】２つのローラーを回転させながら両ローラー間に補修部材を挿入する含浸作業を模式的に示す模式図である。
【図１３】補修部材における反転ゴム部材と接続する側の端部を模式的に示す模式図である。
【図１４】反転ゴム部材における補修部材と接続する側の端部を模式的に示す模式図である。
【図１５】従来の排水取付管の補修方法を模式的に説明する模式図である。
【発明を実施するための形態】
【００３８】
以下、本発明の好適な実施の形態について、図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。例えば本実施形態では、宅内汚水桝から下水道本管にかけて埋設されて連結した排水取付管（下水道取付管）を補修する場合について説明するが、本発明はこれに限定されるものではない。
【００３９】
本実施形態では、図１に模式的に示したように宅内汚水桝２と下水道本管３との間に埋設された排水取付管１を補修する方法（工程）について説明する。本実施形態で排水取付管１を補修して更生する場合、先ず、事前調査工程として、カメラを用いて施工箇所の確認、障害物の確認等を行い、例えば障害物が存在する場合は障害物の除去等の作業を行う。
【００４０】
事前調査工程を行うとともに、補修工程を適切に実施可能な位置に反転機１０を設置する。本実施形態で用いる反転機１０は、図１に示したように、耐圧気密構造のドラム形態を備えた反転機本体部１１と、反転機本体部１１の下端部から延出するとともに反転機本体部１１の内部空間に連通する接続部１２と、反転機本体部１１の上端部に配される作業用の開閉部（開閉ハッチ部）１３と、図示しないコンプレッサー（加圧流体供給部）が接続される高圧流体供給部１４と、反転機本体部１１の一方の側面部に配される操作部１５とを有する。反転機１０の操作部１５を、例えば図１の紙面における反時計回り方向又は時計回り方向に回転させることにより、反転機本体部１１の内部に設けられた巻芯部１６（図４及び図５を参照）を反時計回り方向又は時計回り方向に回転させることができる。それによって、その巻芯部１６に例えば後述する第１フィルム部材４１又は反転ロープ４２を巻き付けること、又は巻芯部１６に巻かれている第１フィルム部材４１又は反転ロープ４２を巻き出して、接続部１２から送り出すことができる。
【００４１】
また、本実施形態の反転機１０は、反転機１０の移動及び高さ調節が可能なようにハンドリフター１７に載置されている。このハンドリフター１７は、車輪が取着されている台車部１７ａと、台車部１７ａから延びるハンドル部１７ｂと、台車部１７ａに対して昇降可能なテーブル部１７ｃとを有しており、ハンドリフター１７のテーブル部１７ｃに反転機１０が固定されている。
【００４２】
本実施形態の反転機１０に対し、図４に示したように、長尺の筒状体である合成樹脂製の第１フィルム部材４１を装着する。なお本発明において、第１フィルム部材４１の材質は特に限定されない。本実施形態の第１フィルム部材４１は、補修する排水取付管１の管径と略同じ直径又は少し大きい直径を有するとともに、排水取付管１の長さよりも長く形成されている。
【００４３】
この第１フィルム部材４１の一端部を、反転機１０の巻芯部１６に巻かれる反転ロープ４２（図４には不図示）の端部に接続し、反転機１０の操作部１５を回転させることによって反転ロープ４２及び第１フィルム部材４１を反転機１０の巻芯部１６に巻き付ける。また、第１フィルム部材４１の他端部を、反転機１０の接続部１２における開口側端部の外周面に折り返して、接続部１２の外周面に固定する。これにより、第１フィルム部材４１が反転機１０に装着される。
【００４４】
反転機１０に第１フィルム部材４１を上述のように装着して第１フィルム部材４１を反転機１０から送り出す準備が整った後、図示しないコンプレッサーを稼働させて高圧流体供給部１４から反転機本体部１１の内部空間に高圧流体を供給する。本発明において、「流体」には、空気又はガス等の気体、及び水等の液体が含まれる。本実施形態の場合、高圧流体として、コンプレッサーから供給される圧縮された空気（以下、「圧縮空気」ともいう）が用いられる。
【００４５】
反転機本体部１１内に圧縮空気を供給するとともに、反転機１０の操作部１５を回転させることによって、巻芯部１６に巻き付けられている第１フィルム部材４１及び反転ロープ４２を徐々に巻き出す。これによって、反転機１０の接続部１２から、第１フィルム部材４１を反転させながら徐々に送り出すことができる。
【００４６】
反転機１０の接続部１２から送り出される第１フィルム部材４１は、作業者によって、排水取付管１の宅内汚水桝２側の開口部（入口部）に誘導され、その開口部から排水取付管１内に挿入される。更に、第１フィルム部材４１が反転機１０の接続部１２から反転しながら送り出されることにより、第１フィルム部材４１が、図１に示したように排水取付管１内に深く進入し、更に、排水取付管１の下水道本管３側の開口（出口）まで到達することによって、第１フィルム部材４１を排水取付管１の全体に挿通させることができる。
【００４７】
このとき、第１フィルム部材４１は、排水取付管１を越えて、下水道本管３に突き出るように排水取付管１に挿通させることが好ましい。それにより、排水取付管１の破損部等からの水の浸入を第１フィルム部材４１で阻止できるため、後述するように基布部４６に含浸させた合成樹脂を硬化させるときに、外部から浸入する水等に起因して合成樹脂の硬化不良が生じることを防止できる。
【００４８】
第１フィルム部材４１を排水取付管１の全体に挿通させた後、例えば第１フィルム部材４１内の圧縮空気の圧力を利用して第１フィルム部材４１と反転ロープ４２の接続を解除する。その後、反転機１０の操作部１５を回転させて巻芯部１６に反転ロープ４２を巻き付けることにより、反転ロープ４２を排水取付管１から抜き出す。また、反転機１０に接続させている第１フィルム部材４１の他端部を反転機１０から外し、その第１フィルム部材４１の他端部を地表に保持する。
【００４９】
また本実施形態では、上述のような第１フィルム部材４１を排水取付管１に挿通させる作業と並行して、補修部材４５を準備する作業を行う。補修部材４５は、図８及び図９に示すように、合成樹脂を含浸させる円筒状の形状を備えた基布部４６と、その基布部４６の外側に配される円筒状の形状を備えた合成樹脂製の第２フィルム部材４７とを有しており、第２フィルム部材４７は、基布部４６を内側に包み込むように収容している。すなわち、補修部材４５は、円筒状の基布部４６と円筒状の第２フィルム部材４７とにより形成される２層構造の筒状体である。なお、図８及び図９では、基布部４６に合成樹脂を含浸させる前の補修部材４５を示している。
【００５０】
本実施形態において、補修部材４５の基布部４６及び第２フィルム部材４７は、特許文献１に記載されている「布材５１」及び「外側フィルム５２」と実質的に同様に形成されている。例えば本実施形態の基布部４６は、ポリエステル繊維等の合成繊維又はガラス繊維を用いて円筒状に形成される編織物又は不織布からなり、適度な柔軟性を備える。また、円筒状の基布部４６は、排水取付管１と略同じ長さ及び直径を有する。円筒状の第２フィルム部材４７は、基布部４６よりも長く形成されるとともに、基布部４６を内側に収容可能な直径を有する。なお本発明において、基布部４６及び第２フィルム部材４７の材質は特に限定されない。
【００５１】
この補修部材４５の準備作業では、第２フィルム部材４７の内側に基布部４６を挿入した後、第２フィルム部材４７に収容された基布部４６に液体の合成樹脂を含浸させることによって、補修部材４５を作製する。このとき、基布部４６に含浸させる液体の合成樹脂には、常温にて所定時間（例えば２時間〜２時間３０分）で硬化するように設定されたビニールエステル樹脂（又はポリエステル樹脂）が用いられる。なお本発明において、基布部４６に含浸させる合成樹脂は、特に限定されず、自然硬化、熱硬化、又は光硬化等により硬化可能な合成樹脂を用いることが可能である。
【００５２】
本実施形態において基布部４６に合成樹脂を含浸させる作業は、図１０に模式的に示した含浸装置６０を用いて行われる。
図１０に示した含浸装置６０は、平坦な支持面を備える支持台６１と、支持面に重ねられる平板部材６２と、押圧ローラー６３と、押圧ローラー６３の高さ位置を調整するとともに押圧ローラー６３を移動させることが可能な左右一対のローラー制御部６４とを有する。本実施形態において、含浸装置６０は、５ｍ程度の長さの基布部４６が収容された第２フィルム部材４７に含浸を行うことが可能な大きさを有しており、含浸装置６０を上方側から見たときの支持面は、一方の方向（長さ方向）に長い矩形の形状を呈する。
【００５３】
含浸装置６０の支持台６１は、第２フィルム部材４７を支持する支持部（載置部）６１ａと、支持部６１ａの角部から垂設される４本の脚部６１ｂと、脚部６１ｂを補強する補強部６１ｃとを備えている。この支持部６１ａの上面は、基布部４６を載置して支持する平坦な支持面となる。図１０に示した状態では、支持部６１ａの支持面は水平に保持されている。また、支持部６１ａの幅方向における少なくとも一方の側縁部には、下方に突出する複数の歯を備えたラック部６１ｄが支持部６１ａの長さ方向に沿って設けられている。
【００５４】
４本の脚部６１ｂにおいて、長さ方向の一方側に配される２つ一組の脚部６１ｂの下端部には車輪が取り付けられており、長さ方向の他方側に配される２つ一組の脚部６１ｂの下端部はステイとして形成されている。このため、含浸装置６０の長さ方向の他方側を持ち上げることにより、含浸装置６０を２つの車輪で移動させることが可能となる。
【００５５】
また、この含浸装置６０には、支持部６１ａの支持面が長さ方向の一端部（又は他端部）から他端部（又は一端部）に向けて下り傾斜するように、支持部６１ａにおける長さ方向の一端部の高さを調節可能なチルト機構６５が、長さ方向の一方側に配される２つ一組の脚部６１ｂにそれぞれ設けられている。また、長さ方向の他方側に配される２つ一組の脚部６１ｂと支持台６１とは、当該一組の脚部６１ｂに対して支持台６１が回転可能に連結されている。
【００５６】
含浸装置６０の平板部材６２は、アルミニウム合金製の薄い矩形状の平板により形成されている。この平板部材６２は、一定の厚さをもって形成されており、押圧ローラー６３から、ある程度の荷重を受けても変形しない強度を備える。なお、平板部材６２は、例えば平板部材６２の上面に長さ方向に沿った補強リブを設けることによって補強されていてもよい。
【００５７】
押圧ローラー６３は、断面が円形又は略円形を呈する丸い棒状に形成されている。また、押圧ローラー６３は、含浸装置６０の幅方向に沿って配されているとともに、押圧ローラー６３の幅方向における両端部（すなわち、押圧ローラー６３の左右の端部）は、左右のローラー制御部６４に固定されている。
【００５８】
左右の各ローラー制御部６４は、支持部６１ａの幅方向の外側に配される制御本体部と、押圧ローラー６３を固定する図示しないローラー固定部と、押圧ローラー６３の高さ位置を調整する図示しない高さ調整部とを有する。また、左右のローラー制御部６４の少なくとも一方には、制御本体部に対して回転可能に設けられるとともに支持部６１ａのラック部６１ｄに噛み合うピニオン６４ａと、ピニオン６４ａを回転させる回転操作部６４ｂとが設けられている。
【００５９】
このようなローラー制御部６４を用いることにより、押圧ローラー６３の高さ位置を変えること、及び、押圧ローラー６３を所定の高さ位置で保持することができる。また、回転操作部６４ｂでピニオン６４ａを回転させることによって、所定の高さ位置で保持された押圧ローラー６３を、含浸装置６０の長さ方向に沿って、支持台６１の支持面を平行に移動させることができる。
【００６０】
上述のような含浸装置６０を用いて、第２フィルム部材４７に収容されている基布部４６に合成樹脂を含浸させる場合、先ず、基布部４６を収容した第２フィルム部材４７を含浸装置６０の支持面に載置する。このとき、第２フィルム部材４７を、含浸装置６０の長さ方向に沿うように配置することが好ましい。
【００６１】
第２フィルム部材４７を支持面に載置した後、第２フィルム部材４７の内部に液体の合成樹脂を、基布部４６の長さに対応する分量で注入する。このとき、合成樹脂を、基布部４６の一端部の位置が含まれる範囲に注入することが好ましい。合成樹脂の注入後、第２フィルム部材４７を載置した支持面の上に平板部材６２を重ね合せる。このとき、支持台６１の支持面と平板部材６２との間に第２フィルム部材４７の全体が挟まれるように平板部材６２を重ねる。
【００６２】
続いて、左右のローラー制御部６４によって、押圧ローラー６３を移動させて平板部材６２の上に、且つ第２フィルム部材４７の一端部が配されている位置に配置する。また、左右のローラー制御部６４によって、押圧ローラー６３を下降させて平板部材６２に接触させ、更に、押圧ローラー６３によって第２フィルム部材４７に適切な押圧力が加えられるような高さ位置に押圧ローラー６３を保持する。
【００６３】
これにより、図１１に示したように、支持台６１の支持面と押圧ローラー６３とによって、第２フィルム部材４７及び平板部材６２が挟持されるとともに、押圧ローラー６３から第２フィルム部材４７及び平板部材６２に対して押圧力が加えられる。これによって、支持台６１の支持面と平板部材６２とによって第２フィルム部材４７が広い面積で押圧されるため、第２フィルム部材４７に注入した合成樹脂を、基布部４６に効率的に含浸させることができる。
【００６４】
更に本実施形態では、第２フィルム部材４７及び平板部材６２を挟持した後、含浸装置６０の脚部６１ｂに設けたチルト機構６５によって、支持台６１の支持面と平板部材６２とが、長さ方向の一端部から他端部に向けて下り傾斜するように支持台６１を傾ける。その後、第２フィルム部材４７の一端部側に配置されている押圧ローラー６３を、ローラー制御部６４に設けた回転操作部６４ｂを回すことによって、第２フィルム部材４７の他端部に向けて移動させる。このとき、押圧ローラー６３は、ローラー制御部６４によって所定の高さ位置で保持されているため、第２フィルム部材４７及び平板部材６２に適切な押圧力を加えながら第２フィルム部材４７の他端部まで移動できる。これにより、第２フィルム部材４７内に注入した合成樹脂が、基布部４６の一端部から他端部までの全体に亘って含浸した補修部材４５を作製できる。
【００６５】
特にこの場合、図１１に示した第２フィルム部材４７及び基布部４６の断面において、注入された液体の合成樹脂をグレーで示すように、合成樹脂を第２フィルム部材４７の内側全体に容易に回り込ませることができる。このため、第２フィルム部材４７内に空気が残ることを防いで、合成樹脂を基布部４６に円滑に浸み込ませることができる。また、押圧ローラー６３によって、第２フィルム部材４７及び基布部４６を長さ方向の全体に亘って略均一に押圧することができるため、合成樹脂を基布部４６の全体に均一に含浸させることができる。
【００６６】
従って、図１０に示した含浸装置６０を用いて合成樹脂の含浸作業を行うことによって、押圧ローラー６３の押圧力を利用して第２フィルム部材４７内部の空気を抜きながら、基布部４６の一端部から他端部に向けて合成樹脂を含浸させていくことができる。このため、空気の入り込みや含浸斑などが発生することを効果的に抑制して、合成樹脂を基布部４６の全体に均一に且つ安定して含浸させることができる。更に、含浸作業を容易に行うことができるとともに、含浸作業に要する時間を低減できる。
【００６７】
なお本実施形態では、合成樹脂の含浸作業を、図１０に示した含浸装置６０を用いる代わりに、例えば図１２に示したような回転可能に支持された２つ回転ローラー７１を有する含浸装置７０を用いて行うことも可能である。図１２に示した含浸装置７０を用いる場合、基布部４６を内部に収容した第２フィルム部材４７内に液体の合成樹脂を注入するとともに、その第２フィルム部材４７（補修部材４５）を２つ回転ローラー７１間に挿入する。このとき、２つの回転ローラー７１間の間隔は、挿入する第２フィルム部材４７の厚さ等に応じて適切に設定されている。そして、２つの回転ローラー７１を回転させながら、２つの回転ローラー７１間に挿入された第２フィルム部材４７を下側から引っ張ることによって、第２フィルム部材４７内に注入した合成樹脂を基布部４６に含浸させることができる。
【００６８】
このような図１２に示した含浸装置７０を用いることによっても、基布部４６の全体に亘って合成樹脂が含浸した補修部材４５を作製できる。また、図１２の含浸装置７０は、例えば図１０の含浸装置６０に比べて、コンパクトに且つ軽く形成されているため、例えば図１０の含浸装置６０を持ち運ぶことが難しい現場等において有用である。
【００６９】
一方、図１２の含浸装置７０は、２つの回転ローラー７１間に挿入された第２フィルム部材４７を下側から引っ張りながら合成樹脂の含浸作業を行うため、下方への引張力によって第２フィルム部材４７及び基布部４６が部分的に伸びる可能性がある。このように基布部４６が部分的に伸びてしまうと、後述するように、基布部４６と硬化した合成樹脂を含む補修管を排水取付管１の内側に形成したときに、その補修管の強度を部分的に低下させることが考えられる。
【００７０】
これに対し、図１０の含浸装置６０を用いて合成樹脂の含浸作業を行う場合、その作業中に第２フィルム部材４７及び基布部４６が部分的に伸びることは生じないため、形成される補修管の強度を安定して確保できるといった効果が得られる。
【００７１】
上述のようにして補修部材４５を作製して準備した後、その補修部材４５と円筒状の反転ゴム部材４８とを接続する。本実施形態の反転ゴム部材４８は、弾性を有するゴム管であり、特許文献１に記載されている「反転ゴム４」と実質的に同様に形成されている。補修部材４５と反転ゴム部材４８とを接続するために、先ず、図１３に示したように、補修部材４５における第２フィルム部材４７の基布部４６よりも延出している部分（補修部材４５の一端部）を接続ロープ４３の一端部に固定する。
【００７２】
例えば、接続ロープ４３の一端部にループを形成して、その接続ロープ４３のループに第２フィルム部材４７の一端部を挿通させるとともに固定紐を用いて第２フィルム部材４７の挿通させた部分と挿通させていない部分とを結ぶことにより、補修部材４５の一端部と接続ロープ４３の一端部とを容易に接続できる。なお、補修部材４５と接続ロープ４３とを接続する方法及び手段はこれに限定されるものではない。
【００７３】
続いて、補修部材４５を固定した接続ロープ４３を引っ張って、補修部材４５の一端部（先端部）が反転ゴム部材４８の一端部（先端部）の近くに到るまで補修部材４５を反転ゴム部材４８内に挿入する。また、反転ゴム部材４８の一端部には、図１４に示すように、接続ロープ４３を連結するための連結金具５０が事前に取り付けられている。この連結金具５０は、特許文献１に記載されている「先端金具４０」と実質的に同様に形成されている。
【００７４】
本実施形態の連結金具５０は、中心孔を有する面板部５１と、面板部５１の外周部に一体的に設けられる円筒状の反転ゴム取付部５２と、面板部５１から突出するように配される止め環部５３と、面板部５１の中心孔に取り外し可能に螺着する中空ボルト５４と、中空ボルト５４に設けられた係合孔に螺着する閉止ボルト５５とを有する。
【００７５】
このような連結金具５０では、連結金具５０の反転ゴム取付部５２に、反転ゴム部材４８の一端部が気密に固定される。また、補修部材４５が接続された接続ロープ４３の他端部を中空ボルト５４の係合孔に挿入した状態で閉止ボルト５５を係合孔に螺着することによって、連結金具５０に接続ロープ４３の他端部が固定される。また、連結金具５０の止め環部５３には、反転機１０の巻芯部１６に巻かれる反転ロープ４２の一端部を結び付ける。これにより、補修部材４５の一端部と反転ゴム部材４８の一端部とを接続ロープ４３を介して接続できる。それとともに、反転ゴム部材４８の一端部を反転ロープ４２に接続できる。なお本発明において、接続ロープ４３と反転ゴム部材４８を接続する方法及び手段は、これに限定されるものではない。
【００７６】
また上述のように補修部材４５と反転ゴム部材４８の接続、及び反転ゴム部材４８と反転ロープ４２の接続を行うとともに、図２、図５、及び図６に示したような反転ガイド２０を反転機１０の接続部１２に接続する。反転ガイド２０は、反転機１０の接続部１２に直接接続する基端側の第１ガイド部２１と、第１ガイド部２１に接続される流路遮断用のバルブ部２５と、バルブ部２５に接続されるともに屈曲部を有する第２ガイド部２２と、第２ガイド部２２の先端部に接続される第３ガイド部２３とを有する。
【００７７】
この場合、第１ガイド部２１〜第３ガイド部２３は、金属により形成されている。また、第１ガイド部２１〜第３ガイド部２３及びバルブ部２５の各接続部分は、それぞれの接続相手に対して切り離し可能に接続される。なお、第１ガイド部２１〜第３ガイド部２３及びバルブ部２５を接続する接続方法及び接続手段は特に限定されず、従来から一般的に利用されている接続方法及び接続手段を適用できる。また、本発明の反転ガイド２０は、バルブ部２５を用いずに形成されていてもよい。
【００７８】
反転ガイド２０の第１ガイド部２１は、円筒状に形成されている。第１ガイド部２１は、反転機１０の接続部１２とバルブ部２５の後述するゴム筒部２５ｂとに気密に接続される。
反転ガイド２０のバルブ部２５は、特許文献１に記載されている「バルブＶ」と実質的に同様に形成されている。このため、本実施形態のバルブ部２５については図７を参照しながら簡単に説明する。バルブ部２５は、方形筒状のカバー部２５ａと、カバー部２５ａ内に保持されるゴム筒部２５ｂと、カバー部２５ａの一対の側壁部に挿通される一対のネジロッド２５ｃと、ネジロッド２５ｃの内側端部に取り付けられる一対の圧接板２５ｄと、ネジロッド２５ｃの外側端部に固定されるプーリー２５ｅとを有する。また、カバー部２５ａの内壁面の４つの隅部には、図示しないガイド板が圧接板２５ｄを両側から挟持する形態で固定されている。
【００７９】
このバルブ部２５では、プーリー２５ｅを回転させることによりネジロッド２５ｃをカバー部２５ａに対して進退させることができ、それによって、圧接板２５ｄをカバー部２５ａの内壁面に対して接近・離間させる方向に移動させることができる。また、一対の圧接板２５ｄをゴム筒部２５ｂに向けて内側に進出させることによって、一対の圧接板２５ｄがゴム筒部２５ｂの中央部分を両側面側から圧接して、ゴム筒部２５ｂの流路を遮断できる。
【００８０】
また、バルブ部２５には、ゴム筒部２５ｂの内部の圧力を測定する圧力計２５ｆ（図２を参照）と、図示しない圧力調整バルブとが取り付けられており、圧力調整バルブには、図示しない圧力供給源が接続されている。このような圧力計２５ｆと圧力調整バルブが設置されることによって、一対の圧接板２５ｄでゴム筒部２５ｂの中央部分が遮断されている状態において、圧力計２５ｆによってゴム筒部２５ｂの内部圧力の低下が検出されたときには、圧力調整バルブを開いてゴム筒部２５ｂの内部に高圧流体（圧縮空気）を供給できる。これによって、ゴム筒部２５ｂの内部圧力を予め設定した大きさに回復させることができる。また、圧力調整バルブは、圧力調整バルブを開いてゴム筒部２５ｂの内部と外部空間とを連通させることによってゴム筒部２５ｂ内の高圧流体（圧縮空気）を放出可能に形成されている。これにより、ゴム筒部２５ｂの内部圧力を一定の大きさに維持することが可能となる。
【００８１】
反転ガイド２０の第２ガイド部２２は、第２ガイド本体２２ａと、第２ガイド本体２２ａの先端部に切り離し可能に接続されるとともに、反転ゴム部材４８の他端部を固定する第２ガイド先端部２２ｂとを有する。第２ガイド本体２２ａは、略９０°に折れ曲がった筒状に形成されている。なお、第２ガイド本体２２ａは、屈曲部を設けずに、直線状に形成されていてもよい。第２ガイド先端部２２ｂは、内径が先端に向けて漸減するテーパー部と、テーパー部から延びる細筒部とを有する。第２ガイド先端部２２ｂの細筒部に、反転ゴム部材４８の他端部が細筒部の内側から外周面に折り返されるようにして固定される。
【００８２】
反転ガイド２０の第３ガイド部２３は、円筒状に形成されている。この第３ガイド部２３は、第２ガイド先端部２２ｂを外側から覆い隠して、第２ガイド本体２２ａに切り離し可能に接続される。第３ガイド部２３の中間部には補助供給部２３ａが設けられている。この補助供給部２３ａは、図示しない加圧流体供給部が接続されており、補助供給部２３ａを介して第３ガイド部２３内に高圧流体（圧縮空気）を供給可能である。また、第３ガイド部２３の先端部には、第２フィルム部材４７の他端部が第３ガイド部２３の内側から外周面に折り返されるようにして固定される。
【００８３】
上述のような反転ガイド２０が接続される反転機１０に対し、互いに接続されている補修部材４５及び反転ゴム部材４８を装着する。この場合、反転ロープ４２とその反転ロープ４２に接続されている反転ゴム部材４８及び補修部材４５とを反転機１０の巻芯部１６に順番に巻き付けて収容する。それとともに、図５及び図６に示すように、反転ゴム部材４８の他端部を第２ガイド部２２の第２ガイド先端部２２ｂに気密に固定する。更に、補修部材４５の他端部を第３ガイド部２３の先端部に気密に固定する。なお、図５及び図６では、反転ロープ４２、反転ゴム部材４８、補修部材４５のそれぞれの接続を判り易くするために、実際には反転機１０の巻芯部１６に巻き付けられている部分が、反転ガイド２０内に巻き出された状態で示されている。
【００８４】
また、補修部材４５及び反転ゴム部材４８の装着を行うとともに、排水取付管１に既に挿通させている第１フィルム部材４１の端部（第１フィルム部材４１の他端部）を、第３ガイド部２３の先端部の外周面に、第３ガイド部２３の先端部に固定した補修部材４５を外側から被覆するように固定する。
【００８５】
補修部材４５及び反転ゴム部材４８の装着が完了した後、反転機１０に供給される高圧流体を利用して、補修部材４５及び反転ゴム部材４８を反転させながら送り出して、補修部材４５を排水取付管１に挿通させる挿通作業を行う。
この挿通作業では、先ず、補助供給部２３ａを介して圧縮空気を第３ガイド部２３内に供給することにより、補修部材４５と反転ゴム部材４８との間に圧縮空気が流入する。それとともに、反転機１０の高圧流体供給部１４から反転機本体部１１の内部空間に高圧流体を供給するとともに、反転機１０の操作部１５を回転させることによって巻芯部１６に巻き付けられている補修部材４５及び反転ゴム部材４８と反転ロープ４２とを順番に徐々に巻き出す。これによって、補修部材４５及び反転ゴム部材４８を反転ガイド２０から反転させながら送り出して、基端部が第３ガイド部２３の先端部に固定された第１フィルム部材４１内に挿入することができる。
【００８６】
このとき、反転ガイド２０から送り出された補修部材４５及び反転ゴム部材４８の先端部には、補修部材４５と反転ゴム部材４８との間に圧縮空気が閉じ込められることによって先導部４９が形成される。なお、反転ゴム部材４８が反転しながら反転ガイド２０内を進み、反転ゴム部材４８が第３ガイド部２３に設けた補助供給部２３ａの位置を越えたときに、補助供給部２３ａからの高圧流体（圧縮空気）の供給を停止させることが好ましい。補助供給部２３ａからの供給を停止しても、補修部材４５と反転ゴム部材４８との間に圧縮空気が閉じ込められるため、先導部４９が形成されている状態を維持できる。なお本発明では、補修部材４５の先端部に上述のような圧縮空気による先導部４９を形成せずに、補修部材４５及び反転ゴム部材４８を第１フィルム部材４１内に挿入してもよい。
【００８７】
補修部材４５及び反転ゴム部材４８を第１フィルム部材４１内に挿入した後、反転機本体部１１への高圧流体の供給を続けることによって、補修部材４５及び反転ゴム部材４８は、第１フィルム部材４１によって案内されて排水取付管１内に進入し、排水取付管１内を下水道本管３に向けて進むことができる。
【００８８】
このとき、図２に示したように、排水取付管１に管路が屈曲する屈曲部若しくは湾曲する湾曲部が設けられていても、又は、排水取付管１の一部に継目のずれや開離が生じていても、反転ゴム部材４８内に圧縮空気が連続的に供給されるとともに、排水取付管１内を進む補修部材４５の先端部に上述した先導部４９が設けられているため、排水取付管１の屈曲部若しくは湾曲部、又は継目のずれや開離を越えて下水道本管３に向けて円滑に進むことができる。また、補修部材４５は、反転ゴム部材４８内の圧縮空気によって押圧されながら排水取付管１内を進むため、補修部材４５に皺が生じ難く、また、補修部材４５に皺が生じても、補修部材４５の内周面を、圧縮空気の圧力によって流水障害が生じない程度に滑らかにすることができる。
【００８９】
補修部材４５及び反転ゴム部材４８を、第１フィルム部材４１内で排水取付管１に沿って更に奥に進行させることによって、補修部材４５を排水取付管１の全体に挿通させることができる。また、先導部４９内に閉じ込められている圧縮空気と、反転ゴム部材４８内に供給された圧縮空気とによって、補修部材４５を、第１フィルム部材４１を介して排水取付管１の内周面に圧接させることができる。
【００９０】
補修部材４５を排水取付管１の全体に挿通させた後、反転ガイド２０のバルブ部２５を操作して、バルブ部２５の圧接板２５ｄによって第１ガイド部２１と第２ガイド部２２との間の流路を遮断する。その後、反転機１０側の圧縮空気を抜くとともに、反転機１０の巻芯部１６から反転ロープ４２を取り外す。更に、反転機１０の接続部１２と反転ガイド２０の第１ガイド部２１との接続を解除する。これにより、反転機１０を反転ガイド２０から切り離して、例えば次の現場に移動させて使用することができる。また、反転ガイド２０のバルブ部２５で上記遮断を行った後も、バルブ部２５に設けた圧力計２５ｆと図示しない圧力調整バルブとを用いることによって、反転ゴム部材４８内の圧力を一定の大きさに制御できる。
【００９１】
そして、補修部材４５を排水取付管１の全体に挿通させた状態で、反転ゴム部材４８内の圧力を一定の大きさに所定時間維持することによって、補修部材４５の基布部４６に含浸させている合成樹脂を硬化させる。これによって、硬化した基布部４６と、基布部４６の外側に配される第１フィルム部材４１とを有する補修管を、排水取付管１の内周面に密接させて形成できる。
【００９２】
このようにして形成される補修管は、排水取付管１の長さ方向の全体に亘って継ぎ目のない連続した管体として形成される。また、補修管の内周面は、反転ゴム部材４８によって押圧された状態で形成されるため、段差が形成されない又は段差が小さい滑らかな面に仕上げられる。更に、補修管の硬化した基布部４６の外側には第１フィルム部材４１が配されているため、補修管からの漏水並びに補修管内への地下水及び土砂の流入を効果的に防止できる。また、この第１フィルム部材４１によって、硬化した基布部４６を外側から保護できる。
【００９３】
合成樹脂の硬化後、排水取付管１に密接する補修管から反転ゴム部材４８と第２フィルム部材４７とを引き抜き、更に、排水取付管１及び補修管における管口部の処理（管口仕上げ）を行う。その後、排水取付管１の補修状態を調査して確認する。これによって、排水取付管１の補修作業が完了する。
【００９４】
以上のような本実施形態における排水取付管１の補修方法では、補修部材４５を、合成樹脂を含浸させる基布部４６と、基布部４６を被覆する第２フィルム部材４７とを有する２層構造の筒状体により形成するため、例えば補修部材が３層構造の筒状体により形成される従来の特許文献１の補修方法に比べて、合成樹脂を基布部４６の全体に均一に且つ短時間で含浸させることができる。それとともに、合成樹脂を含浸させた基布部４６に、空気の入り込みや合成樹脂の含浸斑などが発生することを抑制できる。更にそれによって、基布部４６に合成樹脂を含浸させる含浸作業を容易に且つ短時間で行うことができる。
【００９５】
また本実施形態では、補修部材４５及び反転ゴム部材４８を排水取付管１内に導入する前に、円筒状の第１フィルム部材４１を排水取付管１に予め挿通させる。このため、その排水取付管１に対して補修作業を行えるか否かの確認を事前に行うことができ、その結果、補修作業の効率化を図ることができる。
【００９６】
更に本実施形態では、補修部材４５及び反転ゴム部材４８を反転させながら送り出すときに、上述したように筒状の第１フィルム部材４１内に挿入することによって、第１フィルム部材４１で補修部材４５及び反転ゴム部材４８を排水取付管１内に案内（誘導）できる。このため、本実施形態では、例えば特許文献１の場合のように反転機に接続する反転ガイドの先端部を、排水取付管１の入口部の近傍に配置する必要がなくなるため、反転機１０及び反転ガイド２０の設置作業や準備作業をより簡単に行うことができるという効果も得られる。
従って、本実施形態では、排水取付管１の長さ方向の全体に、非開削で補修管を簡便に且つ安定して形成できるため、排水取付管１の補修を安定した品質で、また、従来よりも簡便に行うことができる。
【００９７】
なお、本実施形態の場合、反転機１０に供給する高圧流体、反転ガイド２０の補助供給部２３ａから第３ガイド部２３内に供給する高圧流体、及び、バルブ部２５の圧力調整バルブから供給する高圧流体には、常温の圧縮空気を用いている。しかし本発明では、高圧流体として、空気以外に水等の液体を用いることが可能である。また、高圧流体として、気体（空気若しくはガス）又は液体（水）を加熱して用いることも可能である。
【００９８】
更に本発明では、上述したゴム筒部２５ｂ及び圧接板２５ｄを備えたバルブ部２５に代えて、例えば慣用の管路開閉型バルブを用いてもよい。この場合、管路開閉型バルブにおけるシッター部の反転ロープ４２に当接する部分にゴム製のシールリップ等を付設することによって流体漏れを防止できる。
【００９９】
また、補修部材４５の基布部４６には、織布、編布、不織布等のシート状の適切な部材を任意に選択して使用することが可能である。また、基布部４６は、シート状の１つの部材を円筒状に形成すること、又はシート状の複数の部材を重ね合わせて円筒状に形成することによって作製されていてもよい。
【０１００】
更に、反転機１０の巻芯部１６に巻き付ける反転ロープ４２としては、例えばバルブ部２５において圧接板２５ｄでゴム筒部２５ｂを押圧して遮断したときに、ゴム筒部２５ｂに挟まれる反転ロープ４２の周辺から空気が漏れることを抑制するため、例えば軟質プラスチック被覆層を有するロープ又はゴム被覆繊維ロープを用いることも可能である。
【０１０１】
本発明の補修方法が適用される排水取付管１には、上述した実施形態のような宅内汚水桝２と下水道本管３との間に埋設される排水取付管１だけでなく、工場や家庭内の雨水桝から延びる排水取付管、又は工場の排水溜めから延びる排水取付管などのように、地中に埋設されているとともに、地表から掘られた水溜め部に連結される種々の排水取付管が含まれる。
【符号の説明】
【０１０２】
１                排水取付管
２                宅内汚水桝
３                下水道本管
１０                反転機
１１                反転機本体部
１２                接続部
１３                開閉部（開閉ハッチ部）
１４                高圧流体供給部
１５                操作部
１６                巻芯部
１７                ハンドリフター
１７ａ              台車部
１７ｂ              ハンドル部
１７ｃ              テーブル部
２０                反転ガイド
２１                第１ガイド部
２２                第２ガイド部
２２ａ              第２ガイド本体
２２ｂ              第２ガイド先端部
２３                第３ガイド部
２３ａ              補助供給部
２５                バルブ部
２５ａ              カバー部
２５ｂ              ゴム筒部
２５ｃ              ネジロッド
２５ｄ              圧接板
２５ｅ              プーリー
２５ｆ              圧力計
４１                第１フィルム部材
４２                反転ロープ
４３                接続ロープ
４５                補修部材
４６                基布部
４７                第２フィルム部材
４８                反転ゴム部材
４９                先導部
５０                連結金具
５１                面板部
５２                反転ゴム取付部
５３                止め環部
５４                中空ボルト
５５                閉止ボルト
６０                含浸装置
６１                支持台
６１ａ              支持部（載置部）
６１ｂ              脚部
６１ｃ              補強部
６１ｄ              ラック部
６２                平板部材
６３                押圧ローラー
６４                ローラー制御部
６４ａ              ピニオン
６４ｂ              回転操作部
６５                チルト機構
７０                含浸装置
７１                回転ローラー
【要約】
【課題】合成樹脂の含浸で空気の入り込みや含浸斑などを生じさせ難くし、排水取付管の補修を簡便に安定した品質で行うことが可能な補修方法を提供する。
【解決手段】本発明の補修方法は、反転機(10)を用いて筒状の第１フィルム部材(41)を反転させながら送り出すことにより、第１フィルム部材(41)を排水取付管(1)の全体に挿通させること、合成樹脂が含浸した基布部(46)と第２フィルム部材(47)とを備える補修部材(45)を準備すること、補修部材(45)の一端部と反転ゴム部材(48)の一端部とを接続すること、反転機(10)を用いて補修部材(45)及び反転ゴム部材(48)を反転させながら送り出すことにより第１フィルム部材(41)の内側に挿入すること、補修部材(45)及び反転ゴム部材(48)を第１フィルム部材(41)内に進入させて排水取付管(1)の全体に挿通させること、合成樹脂を硬化させること、及び、反転ゴム部材(48)及び第２フィルム部材(47)を引き抜くことを含むことを特徴とする。
【選択図】図１【図１】
0006851451.tif 000002
【図２】
0006851451.tif 000003
【図３】
0006851451.tif 000004
【図４】
0006851451.tif 000005
【図５】
0006851451.tif 000006
【図６】
0006851451.tif 000007
【図７】
0006851451.tif 000008
【図８】
0006851451.tif 000009
【図９】
0006851451.tif 000010
【図１０】
0006851451.tif 000011
【図１１】
0006851451.tif 000012
【図１２】
0006851451.tif 000013
【図１３】
0006851451.tif 000014
【図１４】
0006851451.tif 000015
【図１５】
0006851451.tif 000016